(57)【特許請求の範囲】
【請求項１】
弾発係合用の２本の平行ばね部材（１００）をその内孔（２００）の上部開口（３００）に隣り合い且つ上部開口の直径方向に対向する位置に配設し、内孔（２００）の円周方向に沿って形成した２か所の細長四角形状の切欠き（４００）にして、上方の長辺（４２０）、下方の長辺（４１０）、相対する短辺（６００、６００）より成る細長四角形状の切欠き（４００）の夫々を通し各ばね部材の一部を内孔の内部に露呈させてなる形式の雌釦部材（５００）であって、
各切欠き部分の、前記上方の長辺（４２０）及び下方の長辺（４１０）と共に前記細長四角形状を成す状態において相対する短辺（６００、６００）どうしを、該各短辺が内孔（２００）の下方に向かうに従い、前記細長四角形状が水平方向から見て逆台形形状を呈するように相互に接近するよう傾斜付けしたことを特徴とする雌釦部材。
【発明の詳細な説明】
【０００１】
【産業上の利用分野】
本発明はスナップ釦の構造、特に雌釦部材の構造に関する。
【０００２】
【従来技術】
従来から、図３及び４に示されるような、雌釦部材（１０）が使用されている。この形式の雌釦部材（１０）はその内孔（１２）の上部開口（１４）に隣り合って且つ開口の直径方向に対向する位置に２本のばね部材（１６）を配設し、その一部分を、内孔（１２）の円周方向に沿って設けた四角形状の切欠き（１８）を通して内孔（１２）の内部に露呈させている。
しかしながら、この形式の雌釦部材では、雄釦部材（図示せず）との弾発係合に際し各ばね部材（１６）は先ず、雄釦部材のスタッドにより切欠きの短辺に沿ってその下方長辺に当接するまで垂直に押し下げられ、次いでこの下方の長辺に沿って水平方向に相互に押し広げられるという２段の動作を経ることになるのでスナップ係合時のアクションが強くなってしまう。
一方、図５に示すように、この雌釦部材（１０）に生地（２０）を挟んでアイレット（２２）を合着しようとする場合には、上型２４を内孔（１２）に挿通する必要がある。しかしながら上記２段の動作を示すばね部材をうまくかわさないとばね部材そのものを損傷する恐れがあるために、上型の先端部付近にくびれ部（２６）を設ける等の工夫をする必要があった。
【０００３】
【発明が解決しようとする課題】
スナップ係合時のアクションの小さい雌部材を提供することであり、ばね部材をかわすための工夫を上型に特に設ける必要のない雌部材を提供することである。
【０００４】
【課題を解決するための手段】
本発明に従えば、弾発係合用の２本の平行ばね部材（１００）をその内孔（２００）の上部開口（３００）に隣り合い且つ上部開口の直径方向に対向する位置に配設し、内孔（２００）の円周方向に沿って形成した２か所の細長四角形状の切欠き（４００）にして、上方の長辺（４２０）、下方の長辺（４１０）、相対する短辺（６００、６００）より成る細長四角形状の切欠き（４００）の夫々を通し各ばね部材の一部を内孔の内部に露呈させてなる形式の雌釦部材（５００）であって、
各切欠き部分の、前記上方の長辺（４２０）及び下方の長辺（４１０）と共に前記細長四角形状を成す状態において相対する短辺（６００、６００）どうしを、該各短辺が内孔（２００）の下方に向かうに従い、前記細長四角形状が水平方向から見て逆台形形状を呈するように相互に接近するよう傾斜付けしたことを特徴とする雌釦部材が提供される。
【０００５】
【実施例】
図１及び２を参照して本発明を詳しく説明する。図１には本願発明のスナップ釦の雌部材（５００）の断面図が示される。雌部材（５００）は従来製品と同様に、内孔（２００）の上部開口（３００）に連続する部分が所定の半径方向距離外側に伸延され、次いで折り返されてなるフランジ（２１０）を有し、このフランジ（２１０）の内部には図４に示した従来例に使用されると同様の２本のばね部材（１００）が平行に配設されている。一方、内孔（２００）の円周方向に沿った２か所には従来製品と同様に細長四角形（水平方向から見た場合に）の切欠き（４００）が形成され、この切欠き（４００）の夫々を通して各ばね部材の一部が内孔の内部に露呈される。これらのばね部材（１００）は、上部開口（３００）の直径方向に対向して位置決めされ、図２にその一部分を示す雄部材のスタッド（７００）と弾発係合する。
【０００６】
各前記切欠き（４００）の相対する短辺（６００）は図２に最も良く示すように、内孔（２００）の下方に向かうに従い相互に接近するよう傾斜付けされる。これにより切欠き（４００）は、仮にこれを水平方向から見た場合には逆台形形状を呈することになる。各ばね部材（１００）は従来と同様、切欠き（４００）の各長辺（４１０）及び（４２０）間の垂直方向距離よりも若干小さい断面直径寸法を有し且つ雄部材のスタッド（７００）の最大直径寸法よりも若干小さい距離相互に水平方向に離間する状態で平行に位置付けされる。
【０００７】
スナップ作動に際し、図２に示すように雄部材のスタッド（７００）を雌部材（５００）の内孔（２００）に挿通すると、各ばね部材はスタッド（７００）と当接し、引き続きスタッド（７００）を内孔に押し込むに従い切欠き（４００）の各短辺（６００）に沿って下方に移動する。従来製品では先に説明した如く、この後、ばね部材が切欠きの下方の長辺（４１０）に当接した後に横方向に押し広げられるという２段動作となるが、本願発明に於ては細長四角形状の切欠き（４００）の相対する短辺（６００）に前述の如き傾斜を付けたことにより各ばね部材の動作形態は、先ずスタッド（７００）の押圧力により押し下げられつつ、短辺（６００）に沿って徐々に横方向に押し広げられ、次いでスタッドの最大直径部分を越えた瞬間に上方の長辺（４２０）に弾発的に戻ると言うスムーズなものとなり、そうした２段動作の発生が回避される。
【０００８】
【発明の効果】
１）スナップ係合時のアクションの小さい雌釦部材が提供される。
２）スナップ釦の脱係合に際しての抵抗力が強くなり、外力等による不測の外れに対する抵抗力が高められる。更には、
３）切欠の短辺に傾斜を付けることで、従来の、ばね部材が上方からの押し込み力によって垂直に押し下げられ、切欠の短辺に沿って移動した後、切欠の下方長辺に衝突するという動作が無くなることにより、特に、アイレット合着工程に際してのばね部材そのものの、上型による損傷の恐れが低減される。
４）切り欠きの短辺に傾斜を付けることで、ばね部材が上方からの押し込み力によって自然に横方向に広がるようにしたことから、雌釦部材へのアイレット取付に際し雌釦部材の内孔に挿通する上型に、ばね部材ををかわすための工夫を特に設ける必要が無くなることである。
【図面の簡単な説明】
【図１】本発明に従う雌部材の断面図である。
【図２】本発明に従う雌部材のばね部材の、スタッド部材の垂直方向移動に伴う移動状況を矢印で例示する部分拡大断面図である。
【図３】従来製品の断面図である。
【図４】図３の従来製品の、平行ばね部材を仮想線で示してなる平面図である。
【図５】従来の雌釦部材を生地を挟んでアイレット部材と合着する様子を例示する断面図である。
【符号の説明】
１００  ばね部材
２００  内孔
２１０  フランジ
３００  上部開口
４００  切欠き
５００  雌部材
６００  短辺
７００  スタッド
【図１】
0003616137.tif 000002
【図２】
0003616137.tif 000003
【図３】
0003616137.tif 000004
【図４】
0003616137.tif 000005
【図５】
0003616137.tif 000006